(57)【要約】【課題】ステップリンク安全装置を容易に動作させ動作試験を安全性高く行うことができるマンコンベアステップリンク安全装置の動作試験装置を得る。【解決手段】揺動レール３５の回動端近傍に配設され、揺動レール３５の変位が所定値を超えたときにこれを検出する安全装置であって、中央部に凹部５３ａが形成され端部に凸部５３ｂが形成されたカム５３と、カム５３が所定量以上に移動したときに凸部５３に押されるマイクロスイッチ５５と、動作確認ボタン５２と、動作確認ボタン５２をオフ位置側に付勢する弾性体５４とを備えた安全装置５０の動作試験をする動作試験装置であって、動作確認ボタン５２に近接して設けられ、動作確認ボタン５２をオン位置に移動させる押圧手段１と、押圧手段１に連結され押圧手段１を遠隔から操作する遠隔操作手段４とを備えている。【選択図】　　　　図１
2004051341.tif 000002
【特許請求の範囲】
【請求項１】
ステップリンクの反転部に沿って湾曲配置されステップの案内ローラを案内するとともに該ステップリンクの通過状況によって揺動変位する揺動レールの回動端近傍に配設され、該揺動レールの変位が所定値を超えたときにこれを検出する安全装置であって、上記揺動レールの端部に固定され中央部に凹部が形成され端部に凸部が形成されたカムと、該カムに対向して設けられ上記凹部では押されず上記カムが所定量以上に移動したときに上記凸部に押されて異常信号を出力するマイクロスイッチと、上記マイクロスイッチの進退動方向に移動可能に設けられ該マイクロスイッチをオンにするオン位置と該マイクロスイッチをオフにするオフ位置との間を移動する動作確認ボタンと、該動作確認ボタンを上記オフ位置側に付勢する弾性体とを備えたマンコンベアのステップリンク安全装置の動作試験をする動作試験装置であって、
上記動作確認ボタンに近接して設けられ、該動作確認ボタンをオン位置に移動させる押圧手段と、
上記押圧手段に連結され該押圧手段を遠隔から操作する遠隔操作手段とを備えたことを特徴とするマンコンベアステップリンク安全装置の動作試験装置。
【請求項２】
上記押圧手段は、上記ステップリンク安全装置に対して回動自在に支持され一端で該動作確認ボタンを押すリンク板であり、
上記遠隔操作手段は、上記リンク板に連結されたワイヤーである
ことを特徴とする請求項１に記載のマンコンベアステップリンク安全装置の動作試験装置。
【請求項３】
上記押圧手段は、上記動作確認ボタンに近接して設けられた電動アクチエータであり、
上記遠隔操作手段は、上記電動アクチエータに電線で連結されたスイッチであることを特徴とする請求項１に記載のマンコンベアステップリンク安全装置の動作試験装置。
【請求項４】
上記押圧手段は、複数の上記ステップリンク安全装置に各々設けられ、上記操作手段は複数の該押圧手段に対して１個が設けられ切り換え動作によりいずれかの該押圧手段を操作する
ことを特徴とする請求項１に記載のマンコンベアステップリンク安全装置の動作試験装置。
【発明の詳細な説明】
【０００１】
【発明の属する技術分野】
この発明は、エスカレータ或いは動く歩道などのマンコンベアのステップリンク安全装置の動作試験に関し、特にステップリンク安全装置を安全に且つ容易に試験することができるマンコンベアステップリンク安全装置の動作試験装置に関するものである。
【０００２】
【従来の技術】
図４はエスカレータの上部機械室内の様子を示す側面図である。図４において、エスカレータの主枠からなる固定体３１には、無端状をなす図示しないステップリンクを案内するインナーレール３２とアウターレール３３が配設されている。インナーレール３２の一端には、インナーレール３２の半円形の反転部を形成する第１の揺動レール３４が枢着されている。この第１の揺動レール３４は反転部の上半を形成している。一方、アウターレール３３の一端には、アウターレール３３の半円形の反転部を形成する第２の揺動レール３５が枢着されている。この第２の揺動レール３５は反転部の下半を形成している。
【０００３】
第１の揺動レール３４と第２の揺動レール３５の他側の回動端は、連結体３６のブロック３６ａ，３６ｂによって保持されている。連結体３６は、固定体３１から延びる基体３７に図４の左右方向に変位可能に装着されている。そして、ブロック３６ａ，３６ｂによって第１、第２の揺動レール３４，３５の回動端を所定の間隔を保ちながら図４の左右方向に移動可能に保持している。基体３７の第２の揺動レール３５の端部近傍には、図示しないステップリンク安全装置の取付穴３８が設けられている。
【０００４】
図５はステップリンク安全装置の近傍を拡大して示す拡大図である。図５において、エスカレータが運転されると図示しないステップリンクに連結されたステップ４０がレールに案内されながら移動する。このとき、ステップ４０の両端部に設けられた案内ローラ４１は、反転部において、第１、第２の揺動レール３４，３５の一方から他方へ転動する。このとき、第１、第２の揺動レール３４，３５上を複数個の案内ローラ４１が移動することとなる。そして、第１の揺動レール３４には案内ローラ４１によって半円形の中心方向の荷重が作用し、また第２の揺動レール３５には半円形に対して外方向の荷重が作用する。このため、複数個の案内ローラ４１のそれぞれの位置による上記両方向の荷重が均衡しているときには、連結体３６は中立位置に位置されている。また、上記両方向の荷重が不均衡となったときには連結体３６が半円形の中心寄り、又は外方寄りへ変位する。
【０００５】
そして、連結体３６の変位時に第１、第２の揺動レール３４，３５の回動端の相互間隔が一定に保たれるので、この相互間隔と案内ローラ４１との隙間を最小にすることができ、案内ローラ４１が第１、第２の揺動レール３４，３５の一方から他方へ移行するときに生じる衝撃力を小さくすることができ、乗心地のよいエスカレータとすることができる。一方、複数のステップ４０が無端状に連結されてなるステップリンクに破断や伸びが生じた場合、あるいはステップリンクに異常な張力が作用した場合、第１、第２の揺動レール３４，３５の回動端の揺動が大きくなる。
【０００６】
第２の揺動レール３５の回動端近傍には、ステップリンク安全装置５０が配設されている。ステップリンク安全装置５０は、第２の揺動レール３５が所定値を超えて変位したときにこれを検出し、ステップリンクやステップ４０の移動状態に異常が生じたと判断してエスカレータを停止させるようにしたものである。
【０００７】
図６はステップリンク安全装置の正面図である。また、図７はステップリンク安全装置の側面図である。図８は第２の揺動レールが揺動してマイクロスイッチが動作した様子を示す側面図である。図６乃至図７において、第２の揺動レール３５の回動端にはステイ５１が固定されこのステイ５１には動作確認ボタン５２が進退動可能に支持されている。動作確認ボタン５２はステイ５１を貫通する軸５２ａと軸５２ａの一端に設けられたゴムキャップ５２ｂから構成されている。軸５２ａの一端にはカム５３が取り付けられている。カム５３は第２の揺動レール３５の揺動方向に沿って延びカム５３の中央部は窪んで凹部５３ａが形成され反対にカム５３の両端部には凸部５３ｂが形成されている。軸５２ａの周囲にはゴムキャップ５２ｂとステイ５１との間に弾性体としてのばね５４が縮設されている。
【０００８】
カム５３に対向してマイクロスイッチ５５が配設されている。マイクロスイッチ５５は基体３７に設けられた取付穴３８に締着されている。マイクロスイッチ５５のスイッチ部５５ａは平常時カム５３の凹部５３ａに対向している。スイッチ部５５ａは凹部５３ａではオンされない。そして、図８に矢印Ａで示されるようにカム５３が所定量以上に移動したときに凸部５３ｂに押されてオンし信号（異常信号）を出力する。
【０００９】
動作確認ボタン５２はスイッチ部５５ａの進退動方向に移動可能に設けられている。動作確認ボタン５２はマイクロスイッチ５５をオンさせるオン位置とマイクロスイッチ５５をオフさせるオフ位置との間を移動可能に支持されている。ばね５４は動作確認ボタン５２をオフ位置側に付勢している。そして、カム５３はばね５４によってステイ５１に密着するように付勢されている。
【００１０】
このような構成のステップリンク安全装置５０は、第２の揺動レール３５が所定値を超えて変位したときにこれを検出し、ステップリンクやステップ４０の移動状態に異常が生じたと判断してエスカレータを停止させる。また、ステップリンク安全装置５０の動作試験時には作業者が動作確認ボタン５２を押すことによってステップリンク安全装置５０が動作するか否かの動作試験が行われる。
【００１１】
尚、このような構成のステップリンク安全装置５０は、エスカレータに限らず動く歩道なども含む広くマンコンベア全体に用いられている。
【００１２】
【発明が解決しようとする課題】
このような構成のステップリンク安全装置５０においては、装置が確実に動作するか否かの動作試験はマンコンベアの運転中に行われる必要がある。しなしながら、ステップリンク安全装置５０は上述の説明のように第２の揺動レール３５の回動端近傍に設けられており、この位置は上部機械室の奥まった位置なので動作確認ボタン５２を押す操作は容易ではなかった。
【００１３】
この発明は、上述のような課題を解決するためになされたもので、マンコンベアの運転中においてもステップリンク安全装置を容易に動作させることができ、ステップリンク安全装置の動作試験を容易に行うことができるマンコンベアステップリンク安全装置の動作試験装置を得ることを目的とする。
【００１４】
【課題を解決するための手段】
この発明に係るマンコンベアステップリンク安全装置の動作試験装置は、ステップリンクの反転部に沿って湾曲配置されステップの案内ローラを案内するとともにステップリンクの通過状況によって揺動変位する揺動レールの回動端近傍に配設され、揺動レールの変位が所定値を超えたときにこれを検出する安全装置であって、揺動レールの端部に固定され中央部に凹部が形成され端部に凸部が形成されたカムと、カムに対向して設けられ凹部では押されずカムが所定量以上に移動したときに凸部に押されて異常信号を出力するマイクロスイッチと、マイクロスイッチの進退動方向に移動可能に設けられマイクロスイッチをオンにするオン位置とマイクロスイッチをオフにするオフ位置との間を移動する動作確認ボタンと、動作確認ボタンをオフ位置側に付勢する弾性体とを備えたマンコンベアのステップリンク安全装置の動作試験をする動作試験装置であって、動作確認ボタンに近接して設けられ、動作確認ボタンをオン位置に移動させる押圧手段と、押圧手段に連結され押圧手段を遠隔から操作する遠隔操作手段とを備えている。
【００１５】
また、押圧手段は、ステップリンク安全装置に対して回動自在に支持され一端で動作確認ボタンを押すリンク板であり、遠隔操作手段は、リンク板に連結されたワイヤーである。
【００１６】
また、押圧手段は、動作確認ボタンに近接して設けられた電動アクチエータであり、遠隔操作手段は、電動アクチエータに電線で連結されたスイッチである。
【００１７】
さらに、押圧手段は、複数のステップリンク安全装置に各々設けられ、操作手段は複数の押圧手段に対して１個が設けられ切り換え動作によりいずれかの押圧手段を操作する。
【００１８】
【発明の実施の形態】
実施の形態１．
図１はこの発明の実施の形態１のマンコンベアステップリンク安全装置の動作試験装置の側面図である。図１において、本実施の形態の動作試験装置１００は、まずステップリンク安全装置５０の動作確認ボタン５２をオン位置に移動させる押圧手段として動作確認ボタン５２に近接して設けられたリンク板１を有している。リンク板１は、基体３７等から延設された図示しない支持板に立設された回動軸２に回動自在に支持されている。リンク板１の一端には引きばね３が連結されている。引きばね３は平常時にリンク板１が動作確認ボタン５２を押さないようにリンク板１を動作確認ボタン５２から離す方向に付勢している。
【００１９】
リンク板１の一端にはさらにワイヤー４が連結されている。ワイヤー４の最終端にはワイヤー４を引くためのつまみ６が設けられている。そして、ワイヤー４の最終端を支持する支持体７は例えば上部機械室に設けられた制御盤の内壁面８等に固定されている。リンク板１の位置調整はワイヤー４の長さ調節機構５によって行うことができる。ワイヤー４はリンク板１を遠方の離れた場所から操作する遠隔操作手段を構成している。
【００２０】
つぎに動作について説明する。作業者がつまみ６を引くとリンク板１が回動して動作確認ボタン５２が押される。一方、作業者がつまみ６を戻すと引きばね３によってリンク板１が元の位置に戻り動作確認ボタン５２から離れる。
【００２１】
このような構成のマンコンベアステップリンク安全装置の動作試験装置１００は、ステップリンク安全装置５０を遠方の離れた場所から操作することができるので、マンコンベアの運転中においてもステップリンク安全装置５０を容易に動作させることができ、ステップリンク安全装置５０の動作試験を安全性高く行うことができる。また、安価な部材で動作試験装置１００を実現することができコストダウンを図ることができる。
【００２２】
実施の形態２．
図２はこの発明の実施の形態２のステップリンク安全装置の動作試験装置の側面図である。図２において、本実施の形態の動作試験装置２００は、まずステップリンク安全装置５０の手動操作ボタン５２をオン位置に移動させる押圧手段として手動操作ボタン５２に近接して設けられた電動アクチエータ１１を有している。電動アクチエータ１１はステイ５１から延設された電動アクチエータ支持部材１２に固定されている。電動アクチエータ１１のピストン１１ａは手動操作ボタン５２に対向して進退動する。
【００２３】
そして、ステップリンク安全装置５０から離れた場所に設置された制御盤１３内には、電動アクチエータ１１を動作させる試験用スイッチ１４が設けられている。試験用スイッチ１４と電動アクチエータ１１とは長尺の電線１５によって接続されている。試験用スイッチ１４と電線１５とは、電気シリンダ１１を遠方の離れた場所から操作する遠隔操作手段を構成している。
【００２４】
つぎに動作について説明する。作業者が試験用スイッチ１４を閉じると電動アクチエータ１１が作動してピストン１１ａが手動操作ボタン５２を押す。一方、作業者が試験用スイッチ１４を開くとピストン１１ａが元の位置に戻り動作確認ボタン５２から離れる。
【００２５】
このような構成のマンコンベアステップリンク安全装置の動作試験装置２００は、ステップリンク安全装置５０を遠方の離れた場所から操作することができるので、マンコンベアの運転中においてもステップリンク安全装置５０を容易に動作させることができ、ステップリンク安全装置５０の動作試験を安全性高く行うことができる。そしてさらに、手動操作ボタン５２をオン位置に移動させる押圧手段が電動アクチエータ１１で構成されているので動作が確実となり信頼性が向上するとともに、ワイヤーやリンク板などの機械的な構成が不要となり構造が簡素化されて小型化を図ることができる。
【００２６】
実施の形態３．
図３はこの発明の実施の形態３のステップリンク安全装置の動作試験装置の側面図である。図３において、本実施の形態の動作試験装置３００は、実施の形態１の動作試験装置１００と概略同様の構造を有する第１の動作試験装置１００ａと第１の動作試験装置１００ｂとを有している。各々のワイヤー４ａ，４ｂの端部にはフック９ａ，９ｂが設けられている。２つのフック９ａ，９ｂはワイヤー固定棒２３に掛けられている。一方、ワイヤー固定棒２３にはさらにつまみ２１から延びるワイヤー２２の端部に設けられたフック２２ａが掛けられている。
【００２７】
つぎに動作について説明する。第１の動作試験装置１００ａを動作させたい場合にはフック９ａとフック２２ａを連結してつまみ２１を操作することによって試験を行う。一方、第２の動作試験装置２００ａを動作させたい場合にはフック９ｂとフック２２ａを連結してつまみ２１を操作することによって試験を行う。
【００２８】
このような構成のマンコンベアステップリンク安全装置の動作試験装置３００は、ステップリンク安全装置５０が２個設けられている場合に、押圧手段としての図示しないリンク板１がステップリンク安全装置５０の各々に対して設けられ、２個のリンク板１から延びる２本のワイヤー４ａ，４ｂに対して操作手段としてのワイヤー２２及びつまみ２１が１組設けられ、切り換え動作によりいずれかのリンク板１が操作される。
尚、本実施の形態においては、２つの動作試験装置１００ａ，１００ｂに対して、操作手段が１つにまとめられているが、２つの動作試験装置に限らずもっとたくさんの動作試験装置に対して操作手段が１つにまとめられてもよい。
【００２９】
このような構成のマンコンベアステップリンク安全装置の動作試験装置３００は、複数のステップリンク安全装置５０を１つにまとめられた操作手段で操作できるので、小型化が図れるとともに作業性が向上する。
【００３０】
【発明の効果】
この発明に係るマンコンベアステップリンク安全装置の動作試験装置は、ステップリンクの反転部に沿って湾曲配置されステップの案内ローラを案内するとともにステップリンクの通過状況によって揺動変位する揺動レールの回動端近傍に配設され、揺動レールの変位が所定値を超えたときにこれを検出する安全装置であって、揺動レールの端部に固定され中央部に凹部が形成され端部に凸部が形成されたカムと、カムに対向して設けられ凹部では押されずカムが所定量以上に移動したときに凸部に押されて異常信号を出力するマイクロスイッチと、マイクロスイッチの進退動方向に移動可能に設けられマイクロスイッチをオンにするオン位置とマイクロスイッチをオフにするオフ位置との間を移動する動作確認ボタンと、動作確認ボタンをオフ位置側に付勢する弾性体とを備えたマンコンベアのステップリンク安全装置の動作試験をする動作試験装置であって、動作確認ボタンに近接して設けられ、動作確認ボタンをオン位置に移動させる押圧手段と、押圧手段に連結され押圧手段を遠隔から操作する遠隔操作手段とを備えている。そのため、マンコンベアの運転中においてもステップリンク安全装置を遠隔から容易に動作させることができ、ステップリンク安全装置の動作試験を容易に行うことができる。
【００３１】
また、押圧手段は、ステップリンク安全装置に対して回動自在に支持され一端で動作確認ボタンを押すリンク板であり、遠隔操作手段は、リンク板に連結されたワイヤーである。そのため、安価な部材で動作試験装置を実現することができコストダウンを図ることができる。
【００３２】
また、押圧手段は、動作確認ボタンに近接して設けられた電動アクチエータであり、遠隔操作手段は、電動アクチエータに電線で連結されたスイッチである。そのため、押圧手段が電動アクチエータとされたことで動作が確実となり信頼性が向上し、またワイヤーやリンク板などの機械的な構成が不要となるので構造が簡素化されて小型化を図ることができる。
【００３３】
さらに、押圧手段は、複数のステップリンク安全装置に各々設けられ、操作手段は複数の押圧手段に対して１個が設けられ切り換え動作によりいずれかの押圧手段を操作する。そのため、１つにまとめられた操作手段で複数の押圧手段を操作できるので、小型化が図れるとともに作業性が向上する。
【図面の簡単な説明】
【図１】この発明の実施の形態１のマンコンベアステップリンク安全装置の動作試験装置の側面図である。
【図２】この発明の実施の形態２のステップリンク安全装置の動作試験装置の側面図である。
【図３】この発明の実施の形態３のステップリンク安全装置の動作試験装置の側面図である。
【図４】エスカレータの上部機械室内の様子を示す側面図である。
【図５】ステップリンク安全装置の近傍を拡大して示す拡大図である。
【図６】ステップリンク安全装置の正面図である。
【図７】ステップリンク安全装置の側面図である。
【図８】揺動レールが揺動してマイクロスイッチが動作した様子を示す側面図である。
【符号の説明】
１　リンク板（押圧手段）、４，４ａ，４ｂ，２２　ワイヤー（遠隔操作手段）、６，２１　つまみ、９ａ，９ｂ，２２ａ　フック、１１　電動アクチエータ、１５　電線、１４　スイッチ、３５　揺動レール、４０　ステップ、４１　案内ローラ、５０　ステップリンク安全装置、５２　動作確認ボタン、５３　カム、５３ａ　凹部、５３ｂ　凸部、５４　ばね（弾性体）、５５　マイクロスイッチ、１００ａ　第１の動作試験装置、１００ｂ　第２の動作試験装置。
【図１】
2004051341.tif 000003
【図２】
2004051341.tif 000004
【図３】
2004051341.tif 000005
【図４】
2004051341.tif 000006
【図５】
2004051341.tif 000007
【図６】
2004051341.tif 000008
【図７】
2004051341.tif 000009
【図８】
2004051341.tif 000010